(57)【要約】【課題】従来の安全帯のＤ環と、フックとを連結するロープは、１本であった。よって、その１本にダメージを受けた状況の中で、作業者が墜落すれば小さな衝撃荷重でも切断し、墜落を阻止できないものであった。【解決手段】１本の主ロープ部の、摩耗とか損傷の発生する可能性が高い部分にロープを追加補強し、従来において発生していた危険状況を解消する。追加補強する補強ロープは、主ロープより細径のロープで構成すること、また主ロープと同径のロープとすること。また、補強ロープは細幅ベルトで構成すること、また、主ロープと材質または撚り構成を変えた構成とすること、また、主ロープと伸度あるいは長さを変える構成とするものである。よって、一方のロープにダメージを受けていたとしても、他方のロープによって落下衝撃荷重を確実に受止める。【選択図】　　　　図１
2004057234.tif 000002
【特許請求の範囲】
【請求項１】
細幅織りベルトの一端にバックルを備え、中間部に配したＤ環に、先端にフックを有する主ロープを接続した安全帯において、ロープの中間所定部に補強的に別のロープを添設したことを特徴とする補強ロープ付き安全帯。
【請求項２】
補強ロープは主ロープより細径のロープで構成したことを特徴とする請求項１に記載の補強ロープ付き安全帯。
【請求項３】
補強ロープは主ロープと同径のロープで構成したことを特徴とする請求項１に記載の補強ロープ付き安全帯。
【請求項４】
補強ロープは細幅ベルトで構成したことを特徴とする請求項１に記載の補強ロープ付き安全帯。
【請求項５】
補強ロープは主ロープと材質または撚り構成を変えたことを特徴とする請求項２，請求項３または請求項４に記載の補強ロープ付き安全帯。
【請求項６】
補強ロープは主ロープと伸度あるいは長さを変えた構成としたことを特徴とする請求項２，請求項３，請求項４または請求項５に記載の補強ロープ付き安全帯。
【発明の詳細な説明】
【０００１】
【発明の属する技術分野】
本願は、高所で作業する際に用いる安全帯に係るものであり、特にそのロープに関するものである。
今日まで世界各国ともに、安全帯の一本吊り作業は主ロープ１本で対応するものであった。
安全帯の主ロープは相手の構造物にいつも接触して使用するものであるのでしばしば切断し、作業者が高所から墜落して死亡事故が多数発生していた。
本願ではこの主ロープに補強ロープを添設して強化し、万が一主ロープに墜落引止め時の衝撃荷重を支える強力が失われた時にも補強ロープが人体を受け止め、墜落災害を防止することを目的とし、尊い人命を守ることにより社会に多大に貢献することを特長とした補強ロープ付き安全帯を開示する。
【０００２】
【従来の技術】
以前より、墜落防止用安全帯は、種々のものがあるが、Ｄ環とフックを連結しているロープは１本である。
【０００３】
建設作業、造船所などにおける高所作業には安全帯のフックを鋼材に引っ掛けて作業を行うことが多いがそのような場合、鋼材のエッジにロープが接触してその際荷重が加わっておれば、簡単にロープ切断が起り、人体と構築物を連結する手段は断たれたこととなり、今日までこのようなロープ切断事故により、多くの人命を失ってきた。
【０００４】
【発明が解決しようとする課題】
高所作業においては万が一の墜落を防止するため、労働安全衛生法で、２Ｍ以上となる場所においては必ず安全帯を着用することが義務付けられている。この安全帯の構造はその大部分において、腰部に締着するベルトと、ベルトに基端部を固定し、先端にフックを有するロープ部よりなる。
【０００５】
安全帯において人体を固縛するベルト部と、構築物と人体を連結するロープ部の重要さは優劣がつけられないものであるが、使用時を想定した場合、相手の構造物にいつも接触しているロープ部の方が危険な状況にさらされることが多いものである。
【０００６】
例えば建設作業等の現場において使用される安全帯の使用頻度が高い場合、土、油等で汚れてロープの摩耗、傷、老朽化が判別し難くなることが多く見られる。
またロープの強度は自然劣化して老朽化するものである。
安全帯の使用基準の中に、始業前の点検は必須のものとして指導されているが、汚れによってそれが非常に困難となっている場合、万が一の墜落が発生した際の大きな墜落荷重によってロープが切断し、引止めが出来ないことが考えられる。
【０００７】
安全帯のロープは主としてナイロンが用いられる。これは強度、衝撃吸収性、耐候性、重量等を考慮して決定されたものであるが、その使用頻度、使用方法、保管方法等によってその有する強度は、大きく異なる。よって上記したような問題を含め、その管理の仕方によっては非常に危険な状況が発生するものである。また、適切に保管、使用されていたとしても、建設現場などの鋼材の鋭いエッジに引っ掛けて使用することが多く、このような鋼材にロープが接触する現場での使用において、万が一の墜落発生の場合、安全帯が機能して墜落を引き止めるが、次の瞬間エッジに接触したロープが切断されることが想定される。
墜落引止め時の衝撃荷重は通常９００Ｋｇｆ程度もあり、その荷重で引き伸ばされたナイロンロープに鋭いエッジが当接すると、一瞬にしてロープは切断する。
また、鋭いエッジに接触することがなくても、長時間に亘って使用されたロープは摩耗が進行して毛羽立ち、表層のナイロン繊維の多くが切断された状態となっており、硬化して棒状となるため、見かけの太さは新品時より増すが、強度的には激しく劣化しており、墜落の引止めには到底耐えられるものではなくなっている。
この摩耗による劣化が生じるのは、構築物等との接触が多く、また歩行時等に地面に接触することの多いロープの中間部で発生することが多く、事故の際にはロープ中間で切断するものが大部分を占める。
【０００８】
以上の様に通常の使用状態では人体の墜落を引き止める機能を発揮する安全帯であるが、その使用方法によっては無力にも近い状況が発生することが考えられる。
【０００９】
【課題を解決するための手段】
本願では従来１本で構成していた主ロープ部の、摩耗とか損傷の発生する可能性が高い部分にロープを追加補強し、従来において発生していた危険状況を解消するものである。
主ロープの中間所定部を別のロープで補強して構成することによって、主ロープが損傷、あるいは摩耗していてもこの補強ロープで墜落を防止できるし、また両ロープとも摩耗し、強力が低下していたとしても、その合算の強度が墜落時の衝撃力に耐えることが期待できる。また墜落発生時の鋼材エッジへの接触においてもロープと鋼材の接触点が２点以上に分散し、最悪の事態を避ける可能性も生れるものである。
【００１０】
補強ロープの本数としては２本構成、３本構成等種々のものが考えられ、ここでは１本について述べるが、実施時の要求に応じ選択できる。
一つの形態としては主ロープ上のＤ環結着部近辺よりフック結着部近辺の間に細径のロープを添設するものである。
また主ロープと同径の補強ロープを添設することは重量的には増すが、強度的には有利となる。また主ロープがナイロンの場合、補強ロープをポリエステルとすれば、耐候性に勝るポリエステルが、ナイロン製主ロープの劣化を補助する。また、同径であっても撚り構成に変化を持たせ、一方は３つ撚りとし、他方に断面が扁平に変化するためエッジに強い８つ撚りロープを採用することも有効である。また同様の主旨で、一方をベルトとすることによって耐エッジの当接面積を増し、荷重の分散をすることはなお有効である。
【００１１】
また、主ロープはナイロン製とし、補強ロープについてはワイヤー等を使用する方法はエッジ対策として有効と考えられる。衝撃負荷時には伸びの少ないワイヤーが先ずエッジ切断されるが、その際には衝撃が緩和されているため、ナイロンロープはエッジ切断されず、十分に墜落者の引止めが可能となるものである。
【００１２】
また、主、補強２本のロープの伸度あるいは長さを変えた構成とし、落下衝撃荷重を吸収緩和あるいは段階的に受け持たせることも有効である。
添設する補強ロープの長さを主ロープより短く構成し、常時にはこの補強ロープに使用時の荷重を負荷しておき、万が一の墜落時には主ロープで対応すること、あるいは逆に補強ロープを主ロープより長く構成して、墜落時には文字通り伸び切った主ロープを補強することも有効である。
この主および補強ロープの長短構成により得られる効果は、実際のロープ寸法を変えることなく、異なる伸度のロープを使用することで対応が可能である。つまり同寸法の主ロープと補強ロープであっても、墜落の衝撃荷重が負荷された際、伸びの小さい方のロープが先ず初期の衝撃荷重を受け、次に伸びの大きいロープが最終的に引止めを行う等、ロープ切断事故を防止するだけでなく、２段階に衝撃力を緩和して人体の損傷を防止する効果も得られるものである。
【００１３】
【実施例】
本願の実施例を詳記すると、
細幅織りベルト１の一端にバックル２を備え、中間部に配したＤ環３に、先端にフック４を有する主ロープ５を接続した安全帯において、主ロープ５の中間所定部に補強的に別のロープ６を添設したものである。
なお、主ロープ５と補強ロープ６は、一方のロープに固定具９を通して２本がバラバラにならないようにし、他方のロープの対応位置を摺動自在にして一体化するものである。
【００１４】
図２は、請求項２に記載したもので、補強ロープ６は、主ロープ５より細径のロープで構成し、主ロープ５の中間所定部にサツマ編込により連結したものである。
【００１５】
図３は、請求項３に記載したもので、補強ロープ６は、太径で３つ撚りの主ロープ６と同径，同撚りのロープで構成し、主ロープ５の中間所定部にサツマ編込により連結したもので、重量的には増すが、安全性が高く、作業者に安心感を与えるものである。
【００１６】
図４は、請求項４に記載したもので、補強ロープ６は、細幅ベルト７で構成し、ベルトの幅によって対エッジの当接面積を増し、荷重の分散をするもので、有効な手段である。
【００１７】
図５は、請求項５に記載したもので、主ロープ５は従来通りナイロン製３つ撚りとし、補強ロープ６についてはワイヤー８で補助する方法はエッジ対策として有効と考えられるものである。墜落の衝撃負荷時には伸びの少ないワイヤー８に先に負荷が加わりエッジ切断されるが、そのワイヤー切断により大部分の衝撃が緩和されているため、伸びの大きいナイロンロープに加わる衝撃荷重は小さく、エッジ切断は生じずに十分に墜落者の引止めが可能となるものである。
また、上記ワイヤーに代わりポリアミド製の細径ロープとすることもできる。
【００１８】
その他にも、同径であっても撚り構成に変化をもたせ、一方は３つ撚り、他方は８つ撚りとして、断面が扁平に変化するためエッジに強い８つ撚りロープを最終的な保証とするもの。さらに、３つ撚りと８つ撚りで、太さを変えた組み合わせとすることもできる。また８つ撚りロープに代えて、細幅のベルトを採用することは対エッジ作用において当接面積が増しなお有効である。
【００１９】
また、１本をナイロン製、他の１本をポリエステル製とすることにより、ナイロンロープの自然劣化による強度低下が発生しても、耐候性に勝るポリエステルが最終的な保証となるものである。さらに、使用される現場に状況に応じてナイロンロープを太く、あるいはポリエステルを太くする等、太さを変えた組み合わせとすることもできる。この実施は請求項２と５の組み合わせである。
【００２０】
図１、図６、図７は、請求項２と６に記載したものを用いた安全帯使用状態図で、補強ロープの伸度あるいは長さを変えた構成とし、伸びの違いによる落下衝撃荷重の分散を行う。常時引張力が加わる主ロープが著しく損傷して衝撃荷重負荷時に低荷重で切断したとしても、最終的には補強ロープ６で引止めを行なうものであるが、この際主ロープ５の切断が衝撃荷重を緩衝してよりスムーズに墜落の引止めを行うものである。図７に示すように鋼材のエッジに主ロープ５が当接して切断されたとしても、補強ロープ６が最終的に墜落を防止するものである。
【００２１】
以上の本願補強ロープ６は、従来主ロープ一本であったものを二本、あるいはそれ以上に構成し、安全率の向上を図ったものである。また、墜落発生の際には、衝撃荷重が２本のロープ同時に加わらないように、先ず、主ロープ５を切断させたり伸張させて、初期の荷重を受け持たせ、他方の補強ロープ６に高荷重が加わらないようにした構成を開示したものである。
【００２２】
【発明の効果】
上記したように、補強ロープを主ロープに添って設け、二本に構成することにより、作業中に一方のロープにダメージを受けていたとしても、残存するロープにより、万が一の落下に際しても、落下衝撃荷重を確実に受止めることができると共に、作業者に安心感を与え、安全に作業することができる。
さらに、一方のロープを先に切断させ、落下衝撃荷重を吸収緩和させ荷重の分散を図るなど、最終的な墜落の防止を行なうことが可能なものである。
【図面の簡単な説明】
【図１】本願安全帯の正面図。
【図２】本願請求項２の実施例を示すフック側の拡大正面図。
【図３】本願請求項３の実施例を示すフック側の拡大正面図。
【図４】本願請求項４の実施例を示すフック側の拡大正面図。
【図５】本願請求項５の実施例を示すフック側の拡大正面図。
【図６】本願請求項６の実施例を示すフック側の拡大正面図。
【図７】図６のエッジ部の拡大斜視図。
【符号の説明】
１　　ベルト
２　　バックル
３　　Ｄ環
４　　フック
５　　主ロープ
６　　補強ロープ
７　　細幅ベルト
８　　ワイヤー
９　　固定具
【図１】
2004057234.tif 000003
【図２】
2004057234.tif 000004
【図３】
2004057234.tif 000005
【図４】
2004057234.tif 000006
【図５】
2004057234.tif 000007
【図６】
2004057234.tif 000008
【図７】
2004057234.tif 000009